(57)【要約】【課題】  河川の根固めや護床において計画的に迅速な施工を可能としつつ魚の生息場所を確実に確保する擬似岩石ブロック及びその製法を提供する。【解決手段】    河川等に配置され魚類の生息場所を提供する擬似岩石ブロックは、土台部と、土台部の上部に該土台部と一体接合された擬似岩石体と、を含む。連結用凹部内に充填される連結部を介して土台部と、擬似岩石体と、が一体連接される。連結部には、少なくとも擬似岩石体の大断面より小さなくびれ部が形成され、魚の生息場所、休息場所を提供し、同時に擬似岩石により河川の景観を保持する。【選択図】図１           
2005299343.tif 000002
【特許請求の範囲】
【請求項１】
河川等に配置され魚類の生息場所を提供する擬似岩石ブロックであり、
土台部と、
土台部の上部に該土台部と一体接合された擬似岩石体と、を含むことを特徴とする擬似岩石ブロック。
【請求項２】
擬似岩石体は硬化性材料を固めて形成したことを特徴とする請求項１記載の擬似岩石ブロック。
【請求項３】
擬似岩石体は、ポーラスコンクリートからなる請求項２または３記載の擬似岩石ブロック。
【請求項４】
土台部と擬似岩石体との接続部分に魚が潜む部分としての凹所が設けられていることを特徴とする請求項１ないし３のいずれかに記載の擬似岩石ブロック。
【請求項５】
河川等に配置され魚類の生息場所を提供する擬似岩石ブロックの製造方法であり、
型枠内に擬似岩石体の表面形状に対応した凹部を形成させる工程と、
凹部内に擬似岩石体成形用の硬化性材料を充填する工程と、
硬化性材料の充填に際し擬似岩石体に一体連接される土台部との連結用凹部を成形させる工程と、
連結用凹部内に充填される連結部を介して擬似岩石体に一体連接される擬似岩石体の土台部を成形する工程と、を含むことを特徴とする擬似岩石ブロックの製造方法。
【請求項６】
型枠内に擬似岩石体の表面形状に対応した凹部を形成させる工程は、型枠内に表面当て材を充填し該表面当て材の中央部を窪ませて擬似岩石体の表面形状に対応した凹部を形成させるように固める工程を含む請求項５記載の擬似岩石ブロックの製造方法。
【請求項７】
連結用凹部と、その内部に充填される連結部と、を形成させるに際し、擬似岩石体に一体的に接続し少なくとも擬似岩石体の大断面より小さなくびれ部を形成させる工程を含むことを特徴とする請求項５または６記載の擬似岩石ブロックの製造方法。
【請求項８】
凹部内に擬似岩石体成形用の硬化性材料を充填するに際し、擬似岩石体の表面形状に対応した凹部を形成させる表面当て材と該硬化性材料とが直接に接触しないように表面当て材の表面を被覆するように薄膜あるいはシート部材が配設されていることを特徴とする請求項５ないし７のいずれかに記載の擬似岩石ブロックの製造方法。
【発明の詳細な説明】
【技術分野】
【０００１】
本発明は、河床の根固めや浅場、その他の河川等に配設される擬似岩石ブロック及びその製造方法に関する。
【背景技術】
【０００２】
近時、環境保護や衛生上の見地から、例えば河川の水質浄化に対する取り組みなどが周辺住民ばかりでなく、地域行政を挙げて行なわれている。清浄な河川水は、生態系や人間の健康にも良好な影響を与える。一方、河川のダム建設が河川水の大量の一時貯留による停滞部分を形成し、水質悪化を招き、生態系を大きく変化させ特定の生物の個体数を激減させる例は多い。これらのダムや堰は水流の堰き止めや調節をおこなうものであるから、魚類の遡上を阻み、産卵場等を奪うおそれがある。この点から、特許文献１（特開２００１−２９５２４６号）では、ダムや堰には魚の遡上が行なえるようなスロープや、階段状の段部を複数形成し、これらを１個ずつジャンプしてステップアップしながら上流側に移動できる魚道を設ける環境保全型護岸堤体が提案されている。ところで、ダムや堰の下流側の流れ込み部分や、橋脚の周辺は水流にえぐられて深みとなる仙窟部が形成される場合が多く、これらの河川水の流れ込み部分の川床には流れを受け止めて仙窟を防止するために通常、根固めブロックが敷設される。しかしながら、これらの根固めブロックは、単に平坦な上面を有するコンクリートブロックから形成されているので、これらを並列敷設して平坦な川床面を有する構造体を構築させるだけであった。また、橋脚周辺の仙窟防止のために根固めブロックを敷設する場合があり、この場合においても、同様に平坦な上面を有するコンクリートブロックを並列敷設して平坦な川床構造としたものであった。
【特許文献１】特開２００１−２９５２４６号（明細書０００７、図１）
【発明の開示】
【発明が解決しようとする課題】
【０００３】
しかしながら、上記特許文献１の魚道を魚が遡上する前の流れ込み部分には、平坦面のコンクリートブロックが広がるから、魚はこれらの浅場の急流の中で一時休息、あるいは生息する場所がなく、いったん、魚道の下端部の流れ込み部分に到達した魚はさらにそのまま遡上に向けた泳動を続けねばならず、長い遡上距離に加えた段差魚道で力を尽きて死ぬものが多いという問題があった。また、ダムや堰の流れ込み部分にむしろ長躯の魚の休息あるいは生息場所を人工的に提供することにより、魚の遡上を補助し、鳥などの天敵から身を護ることのできるような河川環境を構築することについての提案がなかった。
【０００４】
本発明は、上記従来の課題に鑑みてなされたものであり、その１つの目的は、ダムや堰等の流れ込み部分に魚が休息あるいは生息し得る安息場所を人工的に提供しうる擬似岩石ブロックおよびその製造方法を提供することにある。また、本発明の他の目的は、河床に藻類の繁殖を促して魚類の餌等に供し得て魚の生息を確実に補助させ、かつ生息域を人工的に増加させることのできる擬似岩石ブロックおよびその製造方法を提供することにある。また、本発明の他の目的は、河床や魚道下、橋脚周辺等の川床部への計画的な設置据付に適し、また浅場等に設置して良好な景観を保持させうる擬似岩石ブロックおよびその製造方法を提供することにある。
【課題を解決するための手段】
【０００５】
上記の目的を達成するために、本発明は、河川等に配置され魚類の生息場所を提供する擬似岩石ブロックであり、土台部１２と、土台部の上部に該土台部と一体接合された擬似岩石体１４と、を含む擬似岩石ブロック１０から構成される。土台部と、擬似岩石体と、を別体に作成し、それぞれを任意の連結手段で一体的に連結させたものでもよい。また、擬似岩石体と土台部のいずれか一方、あるいはその両方を型枠内へ流体、あるいは流動状または非流動状の硬化性材料を充填することにより一体的に成形すると、量産効果によりコストを低廉にして製造でき、また、製造自体が簡単で労力も時間もかからずに製造できる。擬似岩石体と土台部のいずれか一方、あるいはその両方とも天然岩石でもよい。擬似岩石ブロックは、１個が例えば１００ｋｇ〜２００ｋｇ程度の重量で大型のものでもよいし、１００ｋｇ未満の小型品あるいは、２００ｋｇ以上のさらに大型のブロックとしてもよい。
【０００６】
その際、擬似岩石体１４は硬化性材料３４を固めて形成するとよい。硬化性材料は、人工的な擬似岩石の本体を形成させる硬化材料であり、コンクリート、溶融発泡プラスチック材、溶融ペットボトル材、その他の溶融プラスチック材などでもよいが、軽量で多孔質のものがよい。好ましくは、ポーラスコンクリートが空隙率が高く、微生物棲息に適し、水質浄化、藻場の形成に資するとともに、運搬、施工時の労力が少なくて作業効率も高くなる。
【０００７】
さらに、その際、土台部１２と擬似岩石体１４との接続部分に魚が潜む部分としての凹所２０が設けられた構成とするとよい。
【０００８】
また、本発明は、河川等に配置され魚類の生息場所を提供する擬似岩石ブロックの製造方法であり、型枠２２内に擬似岩石体１４の表面形状に対応した凹部２６を形成させる工程と、凹部２６内に擬似岩石体成形用の硬化性材料３４を充填する工程と、硬化性材料の充填に際し擬似岩石体１４に一体連接される土台部１２との連結用凹部３８を成形させる工程と、連結用凹部３８内に充填される連結部（１８）を介して擬似岩石体に一体連接される擬似岩石体の土台部１２を成形する工程と、を含むことを特徴とする擬似岩石ブロックの製造方法から構成される。
【０００９】
また、その際、型枠２２内に擬似岩石体１４の表面形状に対応した凹部２６を形成させる工程は、型枠２２内に表面当て材２４を充填し該表面当て材の中央部を窪ませて擬似岩石体の表面形状に対応した凹部２６を形成させるように固める工程を含むとよい。
【００１０】
また、連結用凹部３８と、その内部に充填される連結部（１８）と、を形成させるに際し、擬似岩石体１４に一体的に接続し少なくとも擬似岩石体の大断面より小さなくびれ部４０を形成させる工程を含むとよい。
【００１１】
さらに、凹部２６内に擬似岩石体成形用の硬化性材料３４を充填するに際し、擬似岩石体１４の表面形状に対応した凹部を形成させる表面当て材２４と該硬化性材料３４とが直接に接触しないように表面当て材の表面を被覆するように薄膜あるいはシート部材３２が配設されたようにするとよい。
【発明の効果】
【００１２】
本発明の擬似岩石ブロックは、河川等に配置され魚類の生息場所を提供する擬似岩石ブロックであり、土台部と、土台部の上部に該土台部と一体接合された擬似岩石体と、を含む構成であるから、施工前に効率よく製作しておいて現場施工でき、河川の根固めや護床において計画的に迅速な施工を可能とするとともに、土台部と擬似岩石体との接合部分を利用して魚の生息場所を確実に確保させることが可能である。また、ある程度、土台部や擬似岩石体の形状を揃えて製造し、施工することにより、相互に密着させて例えば面状に施工することができ、強固な根固め工や護床工を実現し得る。また、擬似岩石体により河川の景観を保持する。
【００１３】
また、擬似岩石体は硬化性材料を固めて形成した構成とすることにより、擬似岩石体の製造が容易で製造効率がよく、さらに形状を任意に設定できる。
【００１４】
また、擬似岩石体は、ポーラスコンクリートからなる構成とすることにより、その非流動性を利用して砕砂等の型枠内に自在に挿入し効率よく擬似岩石体の外殻を形成させうると共に、作業も簡単であり、しかもポーラスコンクリートの多孔質により、微生物の育成を促し、水質浄化や藻場形成に寄与しうる。
【００１５】
また、土台部と擬似岩石体との接続部分に魚が潜む部分としての凹所が設けられている構成とすることにより、魚の生息場所の確保を具体的に実現させることができる。
【００１６】
また、本発明の擬似岩石ブロックの製造方法によれば、河川等に配置され魚類の生息場所を提供する擬似岩石ブロックの製造方法であり、型枠内に擬似岩石体の表面形状に対応した凹部を形成させる工程と、凹部内に擬似岩石体成形用の硬化性材料を充填する工程と、硬化性材料の充填に際し擬似岩石体に一体連接される土台部との連結用凹部を成形させる工程と、連結用凹部内に充填される連結部を介して擬似岩石体に一体連接される擬似岩石体の土台部を成形する工程と、を含む構成であるから、使用時に上部に位置する擬似岩石体並びに下部側の土台部、さらにそれらの連結部を含んですべて硬化性材料を用いて型枠充填方法で形成する結果、効率よく量産できて低コストに維持でき、しかも河川の根固めや護床において計画的に迅速な施工を可能とするとともに、土台部と擬似岩石体との接合部分を利用して魚の生息場所を確実に確保させることが可能である。また、ある程度、土台部や擬似岩石体の形状を揃えて製造し、施工することにより、相互に密着させて例えば面状に施工することができ、強固な根固め工や護床工を実現し得る。また、擬似岩石体により河川の景観を保持する。
【００１７】
また、型枠内に擬似岩石体の表面形状に対応した凹部を形成させる工程は、型枠内に表面当て材を充填し該表面当て材の中央部を窪ませて擬似岩石体の表面形状に対応した凹部を形成させるように固める工程を含むことにより、例えば表面当て材を砕石や砂等を用いて天然の岩石の外殻を容易に形成させることができる。
【００１８】
また、連結用凹部と、その内部に充填される連結部と、を形成させるに際し、擬似岩石体に一体的に接続し少なくとも擬似岩石体の大断面より小さなくびれ部を形成させる工程を含むことにより魚の生息場所としての狭隘部分をくびれ部により実現でき、さらにそのくびれ部分の微妙な凹部形成を確実に形成させることができる。
【００１９】
また、凹部内に擬似岩石体成形用の硬化性材料を充填するに際し、擬似岩石体の表面形状に対応した凹部を形成させる表面当て材と該硬化性材料とが直接に接触しないように表面当て材の表面を被覆するように薄膜あるいはシート部材が配設される構成とすることにより、直接型枠としての硬化性材料の流動性や表面当て材との混合、結合、浸潤等を気にせずに任意の素材の硬化性材料を用いて擬似岩石体を形成させることができる。
【発明を実施するための最良の形態】
【００２０】
以下、添付図面を参照しつつ本発明を実施するための最良の形態について説明する。本発明は、河川の任意箇所の川床や浅場のせせらぎの場所等に設置されて魚等の確実な生息場所となり、かつ良好な河川景観を保持する人工的に製作される擬似岩石ブロックあるいは、その製造方法であり、実施形態において、例えば図１６，１７に示すような図示しない堰に併設された魚道３００の水の流れ込み平坦部３０２に複数並列配置されて根固めブロック部を兼用した人工的な魚の生息する平坦な岩場を形成させる。魚道３００は、複数の段部３０４を階段状に連続して配置して形成され、流れ込み平坦部３０２は、魚道３００を流下する水を受ける。
【００２１】
図１、２において、擬似岩石ブロック１０は、土台部１２と、土台部の上部に該土台部１２と一体接合された擬似岩石体１４と、を含む。すなわち、本発明の擬似岩石ブロックは、任意形状で下部側にあって安定して上部の擬似岩石体を支持し得る土台部と、土台部に一体接合されてその上部にあって任意形状の天然岩石に擬似成形された擬似岩石体と、から構成される。本実施形態において、土台部１２は、例えば縦、横、高さが１．５ｍ×１．５ｍ×５０ｃｍ程度の立体矩形のＲＣコンクリートを成形して構成した台から形成されている。平面視四隅部には角を中央側に凹設し、その凹部に吊支用フック１６をコンクリート成形時に一部を埋め込みして取り付けられている。土台部１２は、例えば天然岩石を削って成形したり、金属その他の安定重量物、あるいはそれらとプラスチックとの組み合わせで組み付け、接合、あるいは結合させたものであってもよい。その上部に設置させる擬似岩石体１４との接合性あるいは魚が潜む部分としての凹所形成が容易である点などから、コンクリートや溶融プラスチックなどの流動性硬化体で成形するとなお良い。
【００２２】
本実施形態において、詳細には、土台部１２と、擬似岩石体１４とは、それらの双方に埋め込み一体化された部分を有する連結柱１８を介して一体的に連結接合されている。この連結柱は土台部１２と、擬似岩石体１４の双方に埋め込み一体化された部分を有することによりこれらを強固に連結固定し、上部の擬似岩石体１４を安定して川床や水の流れ込み部分などに設置できるとともに、土台部１２と擬似岩石体１４との接続部分としての連結柱部分が擬似岩石体あるいは土台部の大径部よりも小さな断面部分１８ｓとなるから、この土台部１２と、擬似岩石体１４とに挟まれた凹所部分２０が魚が潜むための絶好の部分として機能する。すなわち、奥行き側に向けて高さ幅が小さく、外側に向けて高さ幅が大きい凹所部分であるから魚の出入りが自在でしかも外部からのより大きな魚や、鷺などの鳥類あるいは人からの捕獲に対して身を隠すのに好適な空間が形成される。この連結柱は、土台部および擬似岩石体双方に連結用凹部を削り出し形成し、これらの双方に連結柱の両端を嵌合させて構成してもよいが、製造容易性、製造時間、コスト等を考慮すると、擬似岩石体１４側に凹部を形成しておき、この凹部内に流動性硬化体を打設して一体接合するものであるのがよい。本実施形態では、この凹部内へのコンクリート打設による一体接合により擬似岩石ブロック１０を構成している。
【００２３】
擬似岩石体１４は、土台部１２の上部に一体連接されて任意形状の天然岩石に人工的に成形される擬似岩石体であり、硬化性材料を型枠内に投入して硬化させて構成とするとよい。軽量な流動性硬化体を硬化させて成形させたものであるとなおよい。天然岩石のような自然に形成された表面形状の岩石に成形可能で、しかも土台部と一体化させて超重量化しないものがよく、例えば軽量コンクリートや、溶融プラスチックの硬化体などでもよい。好ましくは、木毛・木片入りコンクリート、より好ましくは、空隙率及び成形性に優れるポーラスコンクリートが良い。本実施形態では、例えばポーラスコンクリートを素材として用いられ擬似岩石体が構成されている。ポーラスコンクリートは、独立気泡成型体としてのコンクリートではなく、通常のコンクリートに比して粗骨材に対する細骨材の割合を極端に低くして２０〜３０％程度の連通空隙率を有する多孔質コンクリートであり、微視的には両方の板面を貫いて自由に水成分が移動し得る成型体である。ポーラスコンクリートは、軽量であるのに加え、ポーラスコンクリートの無数の孔には好気性の微生物が着床生息し、水質を浄化して藻や水草を繁殖させる。したがって、これを餌に魚が生息し、しかも土台部１２と、擬似岩石体１４とに挟まれた凹所部分２０を形成して魚が潜むための絶好の場所を提供する。同時に土台部１２を並列密着状に敷設しやすいように、立体四角形に形成しておくことにより、面状に整然と配置でき、根固めを兼用した景観上も好ましい擬似天然岩場を形成できる。
【００２４】
なお、図２において、土台部１２の上面はコンクリート成形時に型枠により凹凸を有するように形成されており、また、任意の小さなポーラスコンクリートを後付けで固定させている。
【００２５】
次に、本発明の擬似岩石ブロックの製造方法についての１つの実施態様を図３ないし図１６により説明する。本発明の擬似岩石ブロックの製造方法は、河川等に配置され魚類の生息場所を提供する擬似岩石ブロックの製造方法である。図１６は、本発明の擬似岩石ブロックの製造方法のフロー図であり、型枠内に成形砂を介して擬似岩石体の表面形状に対応した凹部を形成させる工程Ｓ１と、凹部内に擬似岩石体成形用の硬化性材料を充填する工程Ｓ４と、硬化性材料の充填に際し擬似岩石体に一体連接される土台部との連結用凹部を成形させる工程Ｓ５と、連結用凹部内に充填される連結部を介して擬似岩石体に一体連接される擬似岩石体の土台部を成形する工程Ｓ７と、を含む。そして、さらに、型枠内での凹部形成に際して表面当て材による凹部形成Ｓ２、あるいは、表面当て材を被覆する薄膜・シート部材配設Ｓ３工程が含まれる。また、連結用凹部に連結部を形成させる際にくびれ部が形成Ｓ６される。そして、本実施形態では使用状態で最上部に位置する擬似岩石体を最下位に位置させて逆順に最上位に土台部が形成されるように製造される。
【００２６】
図３において、本実施形態では、型枠２２は、上下面を開口した四周側壁のみである程度の高さ（例えば３００ｍｍ）を有する四角形枠（例えば一辺が１５００ｍｍ）からなり、この四周形枠を複数段積み上げさせながら内部に擬似岩石体１４の外殻形状を形成させる表面当て材２４を集積させる。実施形態において、型枠２２は、図３のように、２個のＬ字状枠の両端どうしをボルト連結して図４のように、四角形枠に組み付けたものであり、容易に組み立て分解可能である。型枠２２内に表面当て材２４を充填し、その表面当て材による凹部に対応した擬似岩石体の外殻形状を形成させる点から、この型枠２２は間接型枠として機能する。
【００２７】
図５−１は、型枠２２の上面開口から型枠内に表面当て材２４を充填して型枠内に擬似岩石体１４の表面形状に対応した凹部２６の成形初期段階を示しており、この際、例えば図５−２に示すハンドランマー２８などを用い、さらに必要に応じて適宜量の水を加えながら締め固めていく。表面当て材２４は、擬似岩石体１４の外殻を直接に形成させる直接型枠部材であり、表面に緩急の凹凸を自由に形成させやすい素材が型枠２２内に充填される。実施形態では、岩を粗く砕いた砕砂、砂利、土、木や合成樹脂片などを充填し手作業で中央部に凹部２６を形成させながら固めていく。すなわち、型枠２２内に擬似岩石体１４の表面形状に対応した凹部２６を形成させる工程では、型枠２２内に表面当て材２４を充填し該表面当て材の中央部を窪ませて擬似岩石体の表面形状に対応した凹部を形成させるように固める工程を含む。
【００２８】
次に、図６のように、その上に２段目の型枠２２−２を載置させ、図８のようなズレ止め片を有する嵌合部３０を予め型枠２２に形成させておくことにより、下型枠２２−１と位置合わせして位置ずれしないように芯合わせ状態を保持して積み上げる。なお、１段目の型枠内で充填した砕砂等を成形する際にゴムシートや薄膜シート等のシート部材３２を凹部２６を含む型枠全体をつつむようにして被覆し、この状態でランマ等で固める作業を行なってもよく、この場合には、図６−２に示すように、例えばいったんシート部材３２の端を持ち上げてその端部分を四角形型枠２２の下開口から挿入して上側に引き出し、この状態で図７−２のように、凹部２６内に中央部を敷きこんで端部を型枠の上部から引き出して外部に延長させるようにシート部材３２を配置させてもよい。このように、本実施形態では、凹部内に擬似岩石体成形用の硬化性材料３４を充填するに際し、擬似岩石体の表面形状に対応した凹部２６を形成させる表面当て材２４としての土や砕砂等と硬化性材料とが直接に接触しないように表面当て材の凹部表面を被覆するようにゴムシートを含む薄膜あるいはシート部材が配設される。本実施形態では、上記のように、ゴムシートとしてのシート部材が用いられているが、このシート部材は、ゴム質に限定されず、表面当て材と硬化性材料とをある程度遮断して相互に混合、結合、浸潤等しない遮断性シート部材でよく、薄膜フィルムなどを用いてもよい。材質もプラスチックシートや撥水処理等した紙その他のシート部材でもよい。
【００２９】
そして、図９に示すように、凹部２６内に擬似岩石ブロック体１４の本体部分を形成するための材料となる硬化性材料３４が投入される。硬化性材料３４は、ブロック全体を構成したときに、運搬、施工しやすいように、軽量の材料による軽量硬化材であるとよい。これらは、シート部材３２の上から投入され固められるので、表面当て材２４に直接に軽量硬化材が接触しないから、接触して砕砂等の一部が軽量硬化材の表面部分の内部に浸入して軽量硬化材の材質の独自の良さを保持できなくなるのを防止する。硬化性材料３４は、表面当て材２４により形成された直接型枠内に投入されて人工的な擬似岩石の本体を形成させる硬化材料であり、コンクリート、溶融発泡プラスチック材、溶融ＰＥＴ材、その他の溶融プラスチック材などでもよい。土台部と一体化させて超重量化しないものがよく、例えば軽量コンクリートや、溶融プラスチックの硬化体などでもよい。好ましくは、木毛・木片入りコンクリート、より好ましくは、空隙率及び成形性に優れるポーラスコンクリートが良い。本実施形態では、前述したように、多孔質、軽量の例えばポーラスコンクリートが硬化性材料として選択されている。ポーラスコンクリートは、空隙率が大きくしかも水分が少ないので流動性はゼロスランプである。したがって、型枠の上面開口から投入しながら、表面当て材２４の凹部表面形状に沿って効率よく充填しつつ良好な作業性で固めることができる。
【００３０】
さらに、図９において、硬化性材料３４としてのポーラスコンクリートを適宜量だけ充填した状態で、さらに底部分から先に挿入するように有底中空筒体３６を挿入させる。有底中空筒体３６は、硬化性材料３４が硬化して形成される擬似岩石体１４と土台部１２との連結体を配置させるための連結用凹部３８を形成するものであり、同時に、この筒体３６に密着させコテなどの器具を用いて硬化性材料を盛り上げ３４ａさせることにより、魚の生息場所に適した狭隘空隙を土台部１２と擬似岩石体との接続部分、すなわち、水に浸かる部分に確実に形成させることができる。詳細には、図１０、図１１に示すようにシート部材３２の内部であってかつ有底中空筒体３６の外側にポーラスコンクリートを加えて充填しながらシート部材３２の外側にも表面当て材２４を周囲に盛り上げて充填する（図１２参照）。これによって、有底中空筒体３６により輪郭を画成されて少なくとも擬似岩石体の大断面より小さなくびれ部４０を形成させる。このくびれ部４０が、ブロックを設置した後に魚の生息場所に適した狭隘空隙となる。実施形態において、有底中空筒体３６は、断面逆台形状に下部径がしだいに小さくなって形成されている。反転させて使用時には、これが台形状に配置され上部の擬似岩石体を安定して支持させる。
【００３１】
この段階で、望む大きさの擬似岩石体１４が形成された場合には、有底中空筒体３６を引抜いてその残部穴内に土台部形成用コンクリートを打設すればよい。本実施形態では、例えば、図１３に示すように、さらに１段の型枠を追加積層し、計３段の型枠を連接させて大型の擬似岩石ブロック１０を形成している。なお、図１２の状態から図１３の状態に積み上げる場合には、図６−２のようにシート部材の端部を持ち上げ、その状態で３段目の型枠を挿入させて以下、上記第２段目の図１０〜図１２に示した手順を行なうと良い。
【００３２】
そして、図１４、図１５に示すように、有底中空筒体３６を抜脱した跡の連結用凹部３８内にコンクリート４２を充填固化して連結柱１８が形成される。連結柱１８は、土台部１２と擬似岩石体１４との連結部とされる。なお、コンクリート４２の連結用凹部３８内への投入に際しては、該連結用凹部３８の内側に打設用型枠をあてがって、振動棒により振動を加えながら連結用凹部３８内を満たし、打設用型枠を引抜く。さらに、土台部形成用の上載せ枠４４をその上面に載置させ、その上乗せ枠４４内にコンクリートを充填することにより連結柱１８と一体化させるものである。このとき、同時に連結柱１８の他端側は連結用凹部３８内に一体的に埋め込み成形され、これによって、土台部１２と擬似岩石体１４とを連結部において一体接合させた擬似岩石ブロック１０が形成される。
【００３３】
そして、これらを固化後型枠をばらして脱型し、一体的に成形された擬似岩石ブロックを反転させて図１，２の状態で河川の底部あるいは床部に用いることができる。その際、例えば、図１７，１８に示すように、土台部１２の形状をそろえておくことにより、複数の擬似岩石ブロック１０を面状に密接して敷きこむことができ、水の流れ込み部分などの川床の根固めを確実に行なえる。擬似岩石ブロックは、各々単独で用いることも可能である。なお、図１８において、４６は、土台部を密接配置させる際の通水用孔形成のための凹溝であり、他の図では図示を省略してある。
【産業上の利用可能性】
【００３４】
擬似岩石ブロック及びその製造方法は、河川の根固め用ブロック、護床、水制用等に有効に利用し得る。
【図面の簡単な説明】
【００３５】
【図１】本発明の実施形態に係る擬似岩石ブロックの概略正面図である。
【図２】図１の擬似岩石ブロックの拡大斜視図である。
【図３】図１の擬似岩石ブロックの製造に際して用いられる擬似岩石体成形用型枠の分解平面図である。
【図４】図３の擬似岩石体成形用間接型枠の斜視説明図である。
【図５−１】図４の間接型枠内に砕砂を充填して表面外形を調整した斜視図である。
【図５−２】図５−１の間接型枠内砕砂締め固め用器具の概略斜視図である。
【図６−１】図５−１の状態からさらに２段目の間接型枠を載置させた作用説明図である。
【図６−２】シート部材被着時の作用説明図である。
【図７−１】２段目の間接型枠を載置させてさらに砕砂を集積させる作用説明図である。
【図７−２】２段目の間接型枠に砕砂を集積させ、その上に被るシート部材を示す説明図である。
【図８】各間接型枠どうしの位置ずれ防止構造を示す一部省略説明図である。
【図９】硬化性材料の内側に連結用凹部形成用型枠（有底中空筒体）を挿入する作用を説明する図である。
【図１０】外側の砕砂を盛り上げる際の作用説明図である。
【図１１】硬化性材料を盛り上げる際の作用説明図である。
【図１２】図１１による処理後のシート部材を拡げて示した図である。
【図１３】間接型枠を３段積み上げて砕砂及び硬化性材料を盛り上げ積みした斜視説明図である。
【図１４】連結部成形の際の作用説明図である。
【図１５】土台部成形の際の作用説明図である。
【図１６】擬似岩石ブロックの製造工程を示すフロー図である。
【図１７】実施形態の擬似岩石ブロックを河川の堰の水流れ込み部分に適用して複数並列して敷設させた例の縦断面説明図である。
【図１８】図１７の擬似岩石ブロックの敷設施工状態の平面図説明図である。
【符号の説明】
【００３６】
１０  擬似岩石ブロック
１２  土台部
１４  擬似岩石体
１８  連結柱
１８ｓ  小断面部分
２０  凹所部分
２２  型枠（間接型枠）
２４  表面当て材
２６  凹部
３２  シート部材
３４  硬化性材料
３６  有底中空筒体
３８  連結用凹部
４０  くびれ部
３００  魚道
３０２  流れ込み平坦部
【図１】
2005299343.tif 000003
【図２】
2005299343.tif 000004
【図３】
2005299343.tif 000005
【図４】
2005299343.tif 000006
【図５−１】
2005299343.tif 000007
【図５−２】
2005299343.tif 000008
【図６−１】
2005299343.tif 000009
【図６−２】
2005299343.tif 000010
【図７−１】
2005299343.tif 000011
【図７−２】
2005299343.tif 000012
【図８】
2005299343.tif 000013
【図９】
2005299343.tif 000014
【図１０】
2005299343.tif 000015
【図１１】
2005299343.tif 000016
【図１２】
2005299343.tif 000017
【図１３】
2005299343.tif 000018
【図１４】
2005299343.tif 000019
【図１５】
2005299343.tif 000020
【図１６】
2005299343.tif 000021
【図１７】
2005299343.tif 000022
【図１８】
2005299343.tif 000023